(57)【特許請求の範囲】
【請求項１】
ワイヤレスドッキングセンターによって、Ｗｉ−Ｆｉ（登録商標）ダイレクトサービス（ＷＦＤＳ）アプリケーションサービスプラットフォーム（ＡＳＰ）を用いて前記ワイヤレスドッキングセンターのワイヤレスドッキングサービスに対してワイヤレスドッキーを認証することと、
前記ワイヤレスドッキングセンターによって、前記ＷＦＤＳ  ＡＳＰを用いてワイヤレスドッキングサービスセッションを確立することと、
前記ワイヤレスドッキングセンターによって、前記ワイヤレスドッキングセンターと通信可能に結合される周辺装置と関連する周辺装置機能サービスへの要求を前記ワイヤレスドッキーから受信することと、
前記ワイヤレスドッキングセンターによって、前記周辺装置機能サービスのための能力ネゴシエーションを行うことと、
前記ワイヤレスドッキングセンターによって、前記ＡＳＰを使用して前記要求された周辺装置機能サービスのセッションを作成することと、
を備える、方法。
【請求項２】
前記ＷＦＤＳに対して前記ワイヤレスドッキーを認証することは、秘密データに基づく、請求項１に記載の方法。
【請求項３】
秘密データに基づいて前記ＷＦＤＳに対して前記ワイヤレスドッキーを認証することはさらに、
ＡＳＰピアツーピア（Ｐ２Ｐ）プロビジョン発見交換中に前記秘密データを送信することを備える、請求項２に記載の方法。
【請求項４】
前記ワイヤレスドッキングセンターによって、前記ワイヤレスドッキングセンターの周辺装置機能サービスで前記ワイヤレスドッキーを認証することをさらに備える、請求項１に記載の方法。
【請求項５】
前記ワイヤレスドッキングセンターによって、前記ワイヤレスドッキーから、前記周辺装置機能サービスで前記ドッキーを認証するための秘密データを受信することをさらに備え、
前記周辺装置機能サービスに対して前記ドッキーを認証することはさらに、前記ワイヤレスドッキングセンターによって、前記周辺装置機能サービスで前記ドッキーを認証するための前記秘密データに基づいて、前記ドッキーを認証することを備える、請求項４に記載の方法。
【請求項６】
前記周辺装置機能サービスで前記ドッキーを認証するための前記秘密データは、ＡＳＰピアツーピア（Ｐ２Ｐ）プロビジョン発見交換中に受信される、請求項５に記載の方法。
【請求項７】
前記ワイヤレスドッキングセンターによって、前記ワイヤレスドッキングセンターの周辺装置機能サービスで前記ドッキーを認証するための秘密データを作成することと、
前記ワイヤレスドッキングセンターによって、前記ドッキーに、前記周辺装置機能サービスで前記ドッキーを認証するための前記秘密データを送信することとをさらに備える、請求項４に記載の方法。
【請求項８】
ワイヤレスドッキーによって、ワイヤレスドッキングセンターのワイヤレスドッキングサービスへのＡＳＰ（アプリケーションサービスプラットフォーム）セッション要求を前記ワイヤレスドッキングセンターに送信することと、
ワイヤレスドッキーによって、前記Ｗｉ−Ｆｉダイレクトサービス（ＷＦＤＳ）ＡＳＰを用いて、ワイヤレスドッキングセンターのワイヤレスドッキングサービスに対して認証することと、
前記ワイヤレスドッキングサービスにアクセスすることと、
前記ワイヤレスドッキーによって、前記ワイヤレスドッキングセンターと通信可能に結合される周辺装置と関連する周辺装置機能サービスへの要求を前記ワイヤレスドッキングセンターに送信することと、
前記ワイヤレスドッキーによって、および前記ワイヤレスドッキングセンターに対して、前記ＡＳＰを用いて前記要求された周辺装置機能のセッションを確立することと、
を備える、方法。
【請求項９】
前記ＷＦＤＳに対して前記ワイヤレスドッキーを認証することは、秘密データに基づく、請求項８に記載の方法。
【請求項１０】
前記秘密データは、ＡＳＰピアツーピア（Ｐ２Ｐ）プロビジョン発見交換中に送信される、請求項９に記載の方法。
【請求項１１】
前記ワイヤレスドッキーによって、前記ワイヤレスドッキングセンターの周辺装置機能サービスで認証することをさらに備える、請求項８に記載の方法。
【請求項１２】
前記ワイヤレスドッキーによって、前記ワイヤレスドッキングセンターに、前記周辺装置機能サービスで前記ドッキーを認証するための秘密データを送信することをさらに備え、
前記周辺装置機能サービスで認証することはさらに、前記ワイヤレスドッキーによって、前記周辺装置機能サービスで前記ドッキーを認証するための前記秘密データに基づいて、前記ワイヤレスドッキングセンターの前記周辺装置機能サービスに対して認証することを備える、請求項１１に記載の方法。
【請求項１３】
前記周辺装置機能サービスで前記ドッキーを認証するための前記秘密データは、ＡＳＰピアツーピア（Ｐ２Ｐ）プロビジョン発見交換中に前記ワイヤレスドッキーによって送信される、請求項１２に記載の方法。
【請求項１４】
前記ワイヤレスドッキーによって、前記ワイヤレスドッキングセンターから、前記ワイヤレスドッキングセンターの前記周辺装置機能サービスで前記ドッキーを認証するための秘密データを受信することをさらに備える、請求項１１に記載の方法。
【請求項１５】
ワイヤレスドッキングセンターによって、Ｗｉ−Ｆｉダイレクトサービス（ＷＦＤＳ）アプリケーションサービスプラットフォーム（ＡＳＰ）を用いて、前記ワイヤレスドッキングセンターのワイヤレスドッキングサービスに対してワイヤレスドッキーを認証するための手段と、
前記ワイヤレスドッキングセンターによって、前記ＷＦＤＳ  ＡＳＰを用いてワイヤレスドッキングサービスセッションを確立するための手段と、
前記ワイヤレスドッキングセンターによって、前記ワイヤレスドッキングセンターと通信可能に結合される周辺装置と関連する周辺装置機能サービスへの要求を前記ワイヤレスドッキーから受信するための手段と、
前記ワイヤレスドッキングセンターによって、前記周辺装置機能サービスのための能力ネゴシエーションを行うための手段と、
前記ワイヤレスドッキングセンターによって、前記ＡＳＰを使用して前記ワイヤレスドッキーに対して前記要求された周辺装置機能サービスのセッションを確立するための手段と、
を備える、装置。
【請求項１６】
前記ＷＦＤＳに対して前記ワイヤレスドッキーを認証することは、秘密データに基づく、請求項１５に記載の装置。
【請求項１７】
秘密データに基づいて前記ＷＦＤＳに対して前記ワイヤレスドッキーを認証することはさらに、
ＡＳＰピアツーピア（Ｐ２Ｐ）プロビジョン発見交換中に前記秘密データを送信するための手段を備える、請求項１６に記載の装置。
【請求項１８】
前記ワイヤレスドッキングセンターによって、前記ワイヤレスドッキングセンターの周辺装置機能サービスで前記ワイヤレスドッキーを認証するための手段をさらに備える、請求項１５に記載の装置。
【請求項１９】
前記ワイヤレスドッキングセンターによって、前記ワイヤレスドッキーから、前記周辺装置機能サービスで前記ドッキーを認証するための秘密データを受信するための手段をさらに備え、
前記周辺装置機能サービスに対して前記ドッキーを認証するための前記手段はさらに、前記ワイヤレスドッキングセンターによって、前記周辺装置機能サービスで前記ドッキーを認証するための前記秘密データに基づいて前記ドッキーを認証するための手段を備える、請求項１８に記載の装置。
【請求項２０】
前記周辺装置機能サービスで前記ドッキーを認証するための前記秘密データは、ＡＳＰピアツーピア（Ｐ２Ｐ）プロビジョン発見交換中に受信される、請求項１９に記載の装置。
【請求項２１】
前記ワイヤレスドッキングセンターによって、前記ワイヤレスドッキングセンターの周辺装置機能サービスで前記ドッキーを認証するための秘密データを作成するための手段と、
前記ワイヤレスドッキングセンターによって、前記ドッキーに、前記周辺装置機能サービスで前記ドッキーを認証するための前記秘密データを送信するための手段とをさらに備える、請求項１８に記載の装置。
【請求項２２】
ワイヤレスドッキーによって、Ｗｉ−Ｆｉダイレクトサービス（ＷＦＤＳ）ＡＳＰを用いてワイヤレスドッキングセンターのワイヤレスドッキングサービスに対して、ワイヤレスドッキングセンターに対して認証するための手段と、
前記ワイヤレスドッキングセンターによって、前記ＷＦＤＳ  ＡＳＰを用いてワイヤレスドッキングサービスセッションを確立するための手段と、
前記ワイヤレスドッキングセンターによって、前記ワイヤレスドッキングセンターと通信可能に結合される周辺装置と関連する周辺装置機能サービスへの要求を前記ワイヤレスドッキーから受信するための手段と、
前記ワイヤレスドッキングセンターによって、前記周辺装置機能サービスのための能力ネゴシエーションを行うための手段と、
前記ワイヤレスドッキングセンターによって、前記ＡＳＰを使用して前記ワイヤレスドッキーに対して前記要求された周辺装置機能サービスのセッションを確立するための手段と、
を備える、装置。
【請求項２３】
前記ＷＦＤＳに対して前記ワイヤレスドッキーを認証するための前記手段は、秘密データに基づく、請求項２２に記載の装置。
【請求項２４】
前記秘密データは、ＡＳＰピアツーピア（Ｐ２Ｐ）プロビジョン発見交換中に送信される、請求項２３に記載の装置。
【請求項２５】
前記ワイヤレスドッキーによって、前記ＡＳＰを用いてワイヤレスドッキングサービスセッションを確立することをさらに備える、請求項２２に記載の装置。
【請求項２６】
前記ワイヤレスドッキーによって、前記ワイヤレスドッキングセンターの周辺装置機能サービスで認証するための手段をさらに備える、請求項２２に記載の装置。
【請求項２７】
前記ワイヤレスドッキーによって、前記ワイヤレスドッキングセンターに、前記周辺装置機能サービスで前記ドッキーを認証するための秘密データを送信するための手段をさらに備え、
前記周辺装置機能サービスで認証するための前記手段はさらに、前記ワイヤレスドッキーによって、前記周辺装置機能サービスで前記ドッキーを認証するための前記秘密データに基づいて、前記ワイヤレスドッキングセンターの前記周辺装置機能サービスに対して認証するための手段を備える、請求項２６に記載の装置。
【請求項２８】
前記周辺装置機能サービスで前記ドッキーを認証するための前記秘密データは、ＡＳＰピアツーピア（Ｐ２Ｐ）プロビジョン発見交換中に前記ワイヤレスドッキーによって送信される、請求項２７に記載の装置。
【請求項２９】
前記ワイヤレスドッキングセンターによって、前記ＡＳＰを用いて周辺装置機能サービスセッションを作成するための手段をさらに備える、請求項２６に記載の装置。
【請求項３０】
前記ワイヤレスドッキーによって、前記ワイヤレスドッキングセンターから、前記ワイヤレスドッキングセンターの前記周辺装置機能サービスで前記ドッキーを認証するための秘密データを受信するための手段をさらに備える、請求項２６に記載の装置。
【請求項３１】
メモリと、
ワイヤレスドッキングセンターのワイヤレスドッキングサービスへのＡＳＰ（アプリケーションサービスプラットフォーム）セッション要求をワイヤレスドッキングセンターに送信することと、
Ｗｉ−Ｆｉダイレクトサービス（ＷＦＤＳ）ＡＳＰを用いて前記ワイヤレスドッキングセンターのワイヤレスドッキングサービスに対して、ワイヤレスドッキーを認証することと、
前記ワイヤレスドッキングサービスにアクセスすることと、
前記ワイヤレスドッキングセンターと通信可能に結合される周辺装置と関連する周辺装置機能サービスへの要求を前記ワイヤレスドッキングセンターに送信することと、
前記ＡＳＰを使用して前記要求された周辺装置機能サービスのセッションを前記ワイヤレスドッキングセンターに対して確立することと、
を行わせるように構成される少なくとも１つのプロセッサとを備える、装置。
【請求項３２】
前記ＷＦＤＳに対して前記ワイヤレスドッキーを認証することは、秘密データに基づく、請求項３１に記載の装置。
【請求項３３】
秘密データに基づいて前記ＷＦＤＳに対して前記ワイヤレスドッキーを認証するために、前記少なくとも１つのプロセッサはさらに、
ＡＳＰピアツーピア（Ｐ２Ｐ）プロビジョン発見交換中に前記秘密データを送信するように構成される、請求項３２に記載の装置。
【請求項３４】
前記少なくとも１つのプロセッサはさらに、
ワイヤレスドッキングセンターの周辺装置機能サービスで前記ワイヤレスドッキーを認証するように構成される、請求項３１に記載の装置。
【請求項３５】
前記少なくとも１つのプロセッサはさらに、
前記ワイヤレスドッキーから、前記周辺装置機能サービスで前記ドッキーを認証するための秘密データを受信するように構成され、
前記周辺装置機能サービスに対して前記ドッキーを認証するために、前記少なくとも１つのプロセッサはさらに、前記周辺装置機能サービスで前記ドッキーを認証するための前記秘密データに基づいて前記ドッキーを認証するように構成される、請求項３４に記載の装置。
【請求項３６】
前記周辺装置機能サービスで前記ドッキーを認証するための前記秘密データは、ＡＳＰピアツーピア（Ｐ２Ｐ）プロビジョン発見交換中に受信される、請求項３５に記載の装置。
【請求項３７】
前記少なくとも１つのプロセッサはさらに、
前記ワイヤレスドッキングセンターの周辺装置機能サービスで前記ドッキーを認証するための秘密データを作成し、
前記ドッキーに、前記周辺装置機能サービスで前記ドッキーを認証するための前記秘密データを送信するように構成される、請求項３４に記載の装置。
【請求項３８】
メモリと、
Ｗｉ−Ｆｉダイレクトサービス（ＷＦＤＳ）アプリケーションサービスプラットフォーム（ＡＳＰ）を用いてワイヤレスドッキングセンターのワイヤレスドッキングサービスに対して認証することと、
前記ＷＦＤＳ  ＡＳＰを用いてワイヤレスドッキングサービスセッションを確立することと、
前記ワイヤレスドッキングセンターと通信可能に結合される周辺装置と関連する周辺装置機能サービスへの要求をワイヤレスドッキーから受信することと、
前記周辺装置機能サービスのための能力ネゴシエーションを行うことと、
前記ＡＳＰを使用して前記要求された前記周辺装置機能サービスのセッションを作成することと、
を行うように構成される少なくとも１つのプロセッサとを備える、装置。
【請求項３９】
前記ＷＦＤＳに対して認証することは秘密データに基づく、請求項３８に記載の装置。
【請求項４０】
前記秘密データは、ＡＳＰピアツーピア（Ｐ２Ｐ）プロビジョン発見交換中に送信される、請求項３９に記載の装置。
【請求項４１】
前記少なくとも１つのプロセッサはさらに、
前記ワイヤレスドッキングセンターの周辺装置機能サービスで認証するように構成される、請求項３８に記載の装置。
【請求項４２】
前記ワイヤレスドッキングセンターに、前記周辺装置機能サービスで認証するための秘密データを送信することをさらに備え、
前記周辺装置機能サービスで認証するために、前記少なくとも１つのプロセッサはさらに、前記周辺装置機能サービスで認証するための前記秘密データに基づいて前記ワイヤレスドッキングセンターの前記周辺装置機能サービスに対して認証するように構成される、請求項４１に記載の装置。
【請求項４３】
前記周辺装置機能サービスで認証するための前記秘密データは、ＡＳＰピアツーピア（Ｐ２Ｐ）プロビジョン発見交換中に前記ワイヤレスドッキーによって送信される、請求項４２に記載の装置。
【請求項４４】
前記少なくとも１つのプロセッサはさらに、
前記ワイヤレスドッキングセンターから、前記ワイヤレスドッキングセンターの前記周辺装置機能サービスで認証するための秘密データを受信するように構成される、請求項４１に記載の装置。
【発明の詳細な説明】
【技術分野】
【０００１】
[0001]本出願は、各々の内容全体が参照により本明細書に組み込まれる、２０１３年２月２２日に出願された米国仮出願第６１／７６８，０６３号、および２０１３年１月４日に出願された米国仮出願第６１／７４９，１７０号の優先権を主張する。
【０００２】
[0002]本開示は、電子デバイス間のワイヤレスドッキングのための技法に関する。
【背景技術】
【０００３】
[0003]「ドック」と呼ばれることもあるドッキングステーションは、モニタ、キーボード、マウス、プリンタ、または他のタイプの入力または出力デバイスなどの周辺装置にラップトップコンピュータなどの電子デバイスを結合するために時々使用される。これらのドッキングステーションは通常、電子デバイスとドッキングステーションとの間の物理的接続を必要とする。さらに、電子デバイスおよびドッキングステーションは通常、ドッキング機能が使用され得る前に、まず、ドッキング通信を確立する。
【発明の概要】
【０００４】
[0004]本開示の技法は、ワイヤレスドッキングサービスのようなワイヤレスドッキングセンターのサービス、および１つまたは複数の周辺装置機能サービスでワイヤレスドッキーを認証するための技法を提供する。ワイヤレスドッキングステーションは、ワイヤレスドッキングステーションとワイヤレスドッキーとの間で送信される秘密データに基づいてワイヤレスドッキーを認証することができる。
【０００５】
[0005]一例では、本開示は、ワイヤレスドッキングセンターによって、Ｗｉ−Ｆｉ（登録商標）ダイレクトサービス（ＷＦＤＳ）アプリケーションサービスプラットフォーム（ＡＳＰ）を用いて、ワイヤレスドッキングサービスに対してワイヤレスドッキーを認証することを備える方法を記述する。
【０００６】
[0006]別の例では、本開示は、ワイヤレスドッキーによって、Ｗｉ−Ｆｉダイレクトサービス（ＷＦＤＳ）アプリケーションサービスプラットフォーム（ＡＳＰ）を用いて、ワイヤレスドッキングセンターのワイヤレスドッキングサービスに対して認証することを備える方法を記述した。
【０００７】
[0007]別の例では、本開示は、ワイヤレスドッキングセンターによって、Ｗｉ−Ｆｉダイレクトサービス（ＷＦＤＳ）アプリケーションサービスプラットフォーム（ＡＳＰ）を用いてワイヤレスドッキングサービスに対してワイヤレスドッキーを認証するための手段を備える装置を記述する。
【０００８】
[0008]別の例では、本開示は、ワイヤレスドッキーによって、Ｗｉ−Ｆｉダイレクトサービス（ＷＦＤＳ）アプリケーションサービスプラットフォーム（ＡＳＰ）を用いて、ワイヤレスドッキングセンターに対して、ワイヤレスドッキングサービスに対して認証するための手段を備える装置を記述する。
【０００９】
[0009]別の例では、本開示は、メモリと、Ｗｉ−Ｆｉダイレクトサービス（ＷＦＤＳ）アプリケーションサービスプラットフォーム（ＡＳＰ）を用いて、ワイヤレスドッキングセンターのワイヤレスドッキングサービスに対してワイヤレスドッキーを認証するように構成されるプロセッサとを備える装置を記述する。
【００１０】
[0010]別の例では、本開示は、メモリと、Ｗｉ−Ｆｉダイレクトサービス（ＷＦＤＳ）アプリケーションサービスプラットフォーム（ＡＳＰ）を用いて、ワイヤレスドッキングセンターのワイヤレスドッキングサービスに対して認証するように構成されるプロセッサとを備える装置を記述する。
【００１１】
[0011]本開示の１つまたは複数の例の詳細が、添付の図面および以下の説明に記載される。本開示の他の特徴、目的、および利点は、説明および図面、ならびに特許請求の範囲から明らかになろう。
【図面の簡単な説明】
【００１２】
【図１】[0012]ドッキングサービスと、アプリケーションサービスプラットフォーム（ＡＳＰ）と、他のサービスとの間の例示的なインターフェースを示すブロック図。
【図２】[0013]ドッキングサービスセッション設定の呼フローを示す第１の流れ図。
【図３】[0014]ドッキングサービスセッション設定の呼フローを示す第２の流れ図。
【図４】[0015]ドッキングサービスセッション設定の呼フローを示す第３の流れ図。
【図５】[0016]本開示の技法による、アプリケーションサービスプラットフォーム（ＡＳＰ）を用いて、ドッキングセンターによって、ワイヤレスドッキングサービスでドッキーを認証するための技法を示す流れ図。
【図６】[0017]本開示の技法による、アプリケーションサービスプラットフォーム（ＡＳＰ）を用いて、ドッキーによって、ドッキングセンターのワイヤレスドッキングサービスで認証するための技法を示す流れ図。
【発明を実施するための形態】
【００１３】
[0018]本開示は、アプリケーションサービスプラットフォーム（ＡＳＰ）を用いて利用可能な、Ｗｉ−Ｆｉドッキングサービス（ＷＦＤＳ）と呼ばれるワイヤレスドッキングサービスを行うための技法に向けられる。
【００１４】
[0019]図１は、ドッキングサービスと、アプリケーションサービスプラットフォーム（ＡＳＰ）と、他のサービスとの間の例示的なインターフェースを示すブロック図である。図１の例では、ドッキングサービス２４２は、ワイヤレスドッキングセンター（ＷＤＣ）におけるドッキングサービスとすることができる。ワイヤレスドッキングセンターは、Ｗｉ−Ｆｉダイレクトサービス（ＷＦＤＳ）２０２およびアプリケーションサービスプラットフォーム（ＡＳＰ）２０４上に構築され、それにより、ワイヤレスドッキーにおけるドッキングサービス２４２は、ＷＤＣにワイヤレスで接続できるようになり、ＷＤＣに関連付けられる周辺装置機能サービスの使用を管理できるようになる。周辺装置機能サービスは、種々の例において、ＡＳＰ上にある場合も、ない場合もある。図１は、Ｗｉ−Ｆｉダイレクトドッキングサービス２４２と、ＡＳＰ２０４と、他のサービスとの間のインターフェースを示す。
【００１５】
[0020]ＷＤＣにおけるドッキングサービス２４２と、ＡＳＰ２０４との間のインターフェースによって、ＷＤＣにおけるドッキングサービス２４２は、次のサービスを実行できるようになる。最初に、ＷＤＣとＡＳＰ２０４との間のインターフェースによって、ドッキングサービス２４２は、ドッキングサービス２４２が管理する周辺装置機能、およびドッキングサービス２４２の周辺装置機能の使用を推進するめに必要とされる能力のような、ＷＤＣにおけるドッキングサービス２４２を広告できるようになる。また、ＷＤＣとＡＳＰ２０４との間のインターフェースによって、ドッキングサービス２４２は、ドッキーがＷＤＣにワイヤレスで接続できるようにし、ドッキングセッションを通してＷＤＣに関連付けられる周辺装置の使用を管理できるようになる。
【００１６】
[0021]ドッキーにおけるドッキングサービス２４２とＡＳＰ２０４との間のインターフェースによって、ドッキーにおけるドッキングサービス２４２は、ＷＤＣが管理する周辺装置機能、およびＷＤＣの周辺装置機能の使用を推進するめに必要とされる能力を含む、ＷＤＣにおけるドッキングサービス２４２を探索できるようになる。また、ドッキーにおけるドッキングサービス２４２とＡＳＰ２０４との間のインターフェースによって、ドッキーにおけるドッキングサービス２４２は、ＷＤＣにワイヤレスで接続できるようになり、ドッキングセッションを通してＷＤＣに関連付けられる周辺装置の使用を管理できるようになる。
【００１７】
[0022]ＷＤＣにおけるドッキングサービス２４２との間のインターフェースによって、ＷＤＣにおけるドッキングサービス２４２は、さらなる機能を実行できるようになる。一例として、ドッキングサービス２４２と他のサービスとの間のインターフェースによって、ドッキングサービス２４２は、ＷＤＣにおける他のサービスへのドッキーのアクセスを制御できるようになる場合がある。別の例として、ドッキングサービス２４２と他のサービスとの間のインターフェースによって、ドッキングサービス２４２は、異なるドッキーに差別化されたサービスを提供するために、ＷＤＣにおける別のサービスによって提供される機能を制御できるようになる場合がある。
【００１８】
[0023]さらに、ドッキーにおけるドッキングサービス２４２と、印刷サービス２０６、ミラキャストサービス２０８、Ｗｉ−Ｆｉシリアルバス（ＷＳＢ）２１０および他の周辺装置サービス２１８のような他のサービスとの間のインターフェースによって、ＷＤＣにおけるドッキングサービス２４２は、ドッキーにおける別のサービスをトリガし、ＷＤＣにおける対応するサービスを探索し、使用できるようにする。
【００１９】
[0024]図２〜図４は、ドッキングサービスセッション設定の呼フローを示す流れ図である。より詳細には、図２はドッキングサービスセッション設定の呼フローを示す第１の流れ図である。図３は、ドッキングサービスセッション設定の呼フローを示す第２の流れ図であり、図４は、ドッキングサービスセッション設定の呼フローを示す第３の流れ図である。
【００２０】
[0025]図２〜図４の例では、ドッキングサービスは、ＡＳＰを用いて、接続前デバイスおよびサービス発見を実行する。ＷＤＣ１２０によって提供されるドッキングサービスが、ドッキー１１０の関心と一致する場合には、ＷＤＣ１２０上のドッキングサービスおよびドッキー１１０上のドッキングサービスは、ＡＳＰ２０４Ａを用いて、Ｐ２Ｐプロビジョン発見を実行し、その後、ＷＤＣ１２０およびドッキー１１０を含むＰ２Ｐグループを形成することができる。その後、ＷＤＣ１２０とドッキー１１０との間に、ドッキングサービスのためのＡＳＰセッションが作成される。
【００２１】
[0026]ドッキングサービスのＡＳＰセッション内ですべてのドッキング制御／構成プロトコル動作が実行される。ドッキング制御／構成プロトコルは、周辺装置機能プロトコルのために必要とされる、接続後周辺装置／ＷＤＮ発見、周辺装置／ＷＤＮ選択、ペイロード接続のための能力ネゴシエーションのために用いられる。
【００２２】
[0027]周辺装置／ＷＤＮ選択、およびペイロード接続のための能力ネゴシエーションが完了する前、ドッキングサービスは、ドッキングサービスが他の周辺装置機能サービスとの間で有するインターフェースを用いる自らの周辺装置機能サービスへのアクセスを阻止する。
【００２３】
[0028]周辺装置／ＷＤＮ選択、およびペイロード接続のための能力ネゴシエーションが完了した後、ＷＤＣ１２０におけるドッキングサービスによって、ドッキー１１０は、ＷＤＣ１２０がドッキングサービスにおいて合意したサービスにアクセスできるようになる。
【００２４】
[0029]ＷＦＤＳ  ＡＳＰは、ドッキングサービスを使用するためにドッキー１１０を認証する際に、あるレベルのセキュリティも提供する。より高いレベルのセキュリティを得るために、ドッキングサービスを使用するドッキー１１０のための認証は、ドッキングサービス自体において実施される場合がある。
【００２５】
[0030]ＷＦＤＳ  ＡＳＰは、周辺装置機能サービスを使用するためにドッキー１１０を認証する際に、あるレベルのセキュリティも提供することができる。さらに、ドッキングサービスは、周辺装置機能サービスのアクセス制御のためにＷＤＣ１２０とドッキー１１０との間に秘密を作成するのを容易にする。そのような秘密から導出される情報は、ドッキー１１０が周辺装置機能サービスのためのＡＳＰセッション設定を実行するときに、ドッキー１１０を認証し、許可するためにＡＳＰ  Ｐ２Ｐプロビジョン発見交換においてプロビジョン発見サービスインスタンスデータＩｎｆｏに入れられる。より高いレベルのセキュリティを得るために、周辺装置機能サービスを使用するドッキー１１０のための認証は、周辺装置機能サービス自体において実施される場合がある。
【００２６】
[0031]ドッキングサービスはドッキングセンター１２０にあるＡＳＰ２０４Ａとやりとりする。より詳細には、ＡＳＰは、ドッキングサービスが、接続前状態中にデバイスおよびサービス発見と、サービス確認とを実行できるようにするインターフェースを提供することができる。ドッキングサービスは、以下の構文を有することができるドッキングＡｄｖｅｒｔｉｓｅＳｅｒｖｉｃｅ方法を用いることができる。
【００２７】
ＡｄｖｅｒｔｉｓｅＳｅｒｖｉｃｅ（ｓｅｒｖｉｃｅ＿ｎａｍｅ、ｐｏｒｔ、ｐｒｏｔｏ、ｓｈａｒｅ、ａｕｔｏ＿ａｃｃｅｐｔ、ｓｅｒｖｉｃｅ＿ｉｎｆｏｒｍａｔｉｏｎ）
[0032]また、ＡＳＰは、ドッキングサービスが、接続前状態中にデバイスおよびサービス発見と、サービス確認とを実行できるようにするインターフェースを提供することができる。ドッキングサービスは、ドッキー１１０においてＳｅｅｋＳｅｒｖｉｃｅ方法プリミティブを用いることができる。ドッキングＳｅｅｋＳｅｒｖｉｃｅ方法は以下の構文を有することができる。
【００２８】
ＳｅｅｋＳｅｒｖｉｃｅ（ｓｅｒｖｉｃｅ＿ｎａｍｅ、ｅｘａｃｔ＿ｓｅａｒｃｈ、ｍａｃ＿ａｄｄｒｅｓｓ、ｓｅｒｖｉｃｅ＿ｉｎｆｏｒｍａｔｉｏｎ＿ｒｅｑｕｅｓｔ）。
【００２９】
[0033]図５は、本開示の技法による、アプリケーションサービスプラットフォーム（ＡＳＰ）を用いて、ドッキングセンターによって、ワイヤレスドッキングサービスでドッキーを認証するための技法を示す流れ図である。
【００３０】
[0034]図５の方法は、図２〜図４のドッキングセッション手順においてワイヤレスドッキングサービス２４２Ａを実施するワイヤレスドッキングセンター１２０によって実行される動作のいくつかの例に対応することができ、いくつかの例では、ワイヤレスドッキー１１０によって実行され得る。図６に示される方法では、ワイヤレスドッキー１１０は、Ｗｉ−Ｆｉダイレクトサービス（ＷＦＤＳ）アプリケーションサービスプラットフォーム（ＡＳＰ）を用いてワイヤレスドッキングセンター１２０のワイヤレスドッキングサービスに対してワイヤレスドッキーを認証することができる（３００）。いくつかの例では、ＷＦＤＳに対してワイヤレスドッキーを認証することは、秘密データに基づくことができる。
【００３１】
[0035]別の例では、秘密データに基づいてＷＦＤＳに対してワイヤレスドッキーを認証するために、少なくとも１つのプロセッサは、ＡＳＰピアツーピア（Ｐ２Ｐ）プロビジョン発見交換中に秘密データを送信するように構成され得る。さらに別の例では、ワイヤレスドッキングセンター１２０は、ＡＳＰを用いてワイヤレスドッキングサービスセッションを確立するように構成され得る。いくつかの例では、ワイヤレスドッキングセンター１２０は、ワイヤレスドッキングセンター１２０の周辺装置機能サービスでワイヤレスドッキー１１０を認証することができる。
【００３２】
[0036]図５の方法では、ワイヤレスドッキングセンター１２０はさらに、ワイヤレスドッキー１１０から、周辺装置機能サービスでワイヤレスドッキー１１０を認証するための秘密データを受信するように構成され得る（３０２）。周辺装置サービスに対してワイヤレスドッキー１１０を認証するために、ワイヤレスドッキングセンター１２０はさらに、周辺装置機能サービスでワイヤレスドッキー１１０を認証するための秘密データに基づいて、ワイヤレスドッキー１１０を認証するように構成され得る。
【００３３】
[0037]さらに別の例では、ワイヤレスドッキングセンター１２０は、ＡＳＰピアツーピア（Ｐ２Ｐ）プロビジョン発見交換中に周辺装置機能サービスでワイヤレスドッキー１１０を認証するための秘密データを受信することができる。別の例では、ワイヤレスドッキングセンター１２０はさらに、ＡＳＰを用いて周辺装置機能サービスのための周辺装置機能サービスセッションを作成するように構成され得る。
【００３４】
[0038]図６は、本開示の技法による、アプリケーションサービスプラットフォーム（ＡＳＰ）を用いて、ドッキーによって、ドッキングセンターのワイヤレスドッキングサービスで認証するための技法を示す流れ図である。図６の方法は、本明細書において開示される数ある例の中でも、図２〜図４のドッキングセッション手順においてワイヤレスドッキングサービス２４２Ｂを実施する、ワイヤレスドッキー１１０によって実行される動作のいくつかの例に対応することができ、いくつかの例では、ワイヤレスドッキングセンター１２０によって実行される場合がある。
【００３５】
[0039]図６の方法では、ワイヤレスドッキー１１０は、Ｗｉ−Ｆｉダイレクトサービス（ＷＦＤＳ）アプリケーションサービスプラットフォーム（ＡＳＰ）を用いてワイヤレスドッキングセンターのワイヤレスドッキングサービスに対して認証するように構成され得る（４００）。いくつかの例では、請求項４６の装置であり、ＷＦＤＳに対してワイヤレスドッキーを認証することは秘密データに基づく。
【００３６】
[0040]いくつかの例では、秘密データはＡＳＰピアツーピア（Ｐ２Ｐ）プロビジョン発見交換中に送信され得る。別の例では、ワイヤレスドッキー１１０は、ＡＳＰを用いて、ワイヤレスドッキングサービスセッションを確立することができる。別の例では、ワイヤレスドッキー１１０は、ワイヤレスドッキングセンター１２０の周辺装置機能サービスで認証することができる。
【００３７】
[0041]図６の方法では、ワイヤレスドッキー１１０はさらに、ワイヤレスドッキングセンター１２０に、周辺装置機能サービスで認証するための秘密データを送信するように構成される場合があり（４０２）、周辺装置サービスで認証するために、ワイヤレスドッキー１１０はさらに、周辺装置機能サービスで認証するための秘密データに基づいて、ワイヤレスドッキングセンター１２０の周辺装置サービスに対して認証するように構成される場合がある。
【００３８】
[0042]いくつかの例では、周辺装置サービスで認証するための秘密データは、ＡＳＰピアツーピア（Ｐ２Ｐ）プロビジョン発見交換中にワイヤレスドッキー１１０によって送信され得る。別の例では、ワイヤレスドッキー１１０は、ＡＳＰを用いて、周辺装置機能サービスセッションを作成することができる。
【００３９】
[0043]別の例では、ワイヤレスドッキー１１０は、ワイヤレスドッキングセンター１２
０から、ワイヤレスドッキングセンター１２０の周辺装置機能サービスで認証するための
秘密データを受信することができる。
以下に、本願出願の当初の特許請求の範囲に記載された発明を付記する。
[Ｃ１]
ワイヤレスドッキングセンターによって、Ｗｉ−Ｆｉ（登録商標）ダイレクトサービス（ＷＦＤＳ）アプリケーションサービスプラットフォーム（ＡＳＰ）を用いて前記ワイヤレスドッキングセンターのワイヤレスドッキングサービスに対してワイヤレスドッキーを認証することを備える、方法。
[Ｃ２]
前記ＷＦＤＳに対して前記ワイヤレスドッキーを認証することは、秘密データに基づく、Ｃ１に記載の方法。
[Ｃ３]
秘密データに基づいて前記ＷＦＤＳに対して前記ワイヤレスドッキーを認証することはさらに、
ＡＳＰピアツーピア（Ｐ２Ｐ）プロビジョン発見交換中に前記秘密データを送信することを備える、Ｃ２に記載の方法。
[Ｃ４]
前記ワイヤレスドッキングセンターによって、前記ＡＳＰを用いてワイヤレスドッキングサービスセッションを確立することをさらに備える、Ｃ１に記載の方法。
[Ｃ５]
前記ワイヤレスドッキングセンターによって、前記ワイヤレスドッキングセンターの周辺装置機能サービスで前記ワイヤレスドッキーを認証することをさらに備える、Ｃ１に記載の方法。
[Ｃ６]
前記ワイヤレスドッキングセンターによって、前記ワイヤレスドッキーから、前記周辺装置機能サービスで前記ドッキーを認証するための秘密データを受信することをさらに備え、
前記周辺装置機能サービスに対して前記ドッキーを認証することはさらに、前記ワイヤレスドッキングセンターによって、前記周辺装置機能サービスで前記ドッキーを認証するための前記秘密データに基づいて、前記ドッキーを認証することを備える、Ｃ５に記載の方法。
[Ｃ７]
前記周辺装置機能サービスで前記ドッキーを認証するための前記秘密データは、ＡＳＰピアツーピア（Ｐ２Ｐ）プロビジョン発見交換中に受信される、Ｃ６に記載の方法。
[Ｃ８]
前記ワイヤレスドッキングセンターによって、前記ＡＳＰを用いて前記周辺装置機能サービスのための周辺装置機能サービスセッションを作成することをさらに備える、Ｃ５に記載の方法。
[Ｃ９]
前記ワイヤレスドッキングセンターによって、前記ワイヤレスドッキングセンターの周辺装置機能サービスで前記ドッキーを認証するための秘密データを作成することと、
前記ワイヤレスドッキングセンターによって、前記ドッキーに、前記周辺装置機能サービスで前記ドッキーを認証するための前記秘密データを送信することとをさらに備える、Ｃ５に記載の方法。
[Ｃ１０]
ワイヤレスドッキーによって、Ｗｉ−Ｆｉダイレクトサービス（ＷＦＤＳ）アプリケーションサービスプラットフォーム（ＡＳＰ）を用いて、ワイヤレスドッキングセンターのワイヤレスドッキングサービスに対して認証することを備える、方法。
[Ｃ１１]
前記ＷＦＤＳに対して前記ワイヤレスドッキーを認証することは、秘密データに基づく、Ｃ１０に記載の方法。
[Ｃ１２]
前記秘密データは、ＡＳＰピアツーピア（Ｐ２Ｐ）プロビジョン発見交換中に送信される、Ｃ１１に記載の方法。
[Ｃ１３]
前記ワイヤレスドッキーによって、前記ＡＳＰを用いてワイヤレスドッキングサービスセッションを確立することをさらに備える、Ｃ１０に記載の方法。
[Ｃ１４]
前記ワイヤレスドッキーによって、前記ワイヤレスドッキングセンターの周辺装置機能サービスで認証することをさらに備える、Ｃ１０に記載の方法。
[Ｃ１５]
前記ワイヤレスドッキーによって、前記ワイヤレスドッキングセンターに、前記周辺装置機能サービスで前記ドッキーを認証するための秘密データを送信することをさらに備え、
前記周辺装置サービスで認証することはさらに、前記ワイヤレスドッキーによって、前記周辺装置機能サービスで前記ドッキーを認証するための前記秘密データに基づいて、前記ワイヤレスドッキングセンターの前記周辺装置サービスに対して認証することを備える、Ｃ１４に記載の方法。
[Ｃ１６]
前記周辺装置サービスで前記ドッキーを認証するための前記秘密データは、ＡＳＰピアツーピア（Ｐ２Ｐ）プロビジョン発見交換中に前記ワイヤレスドッキーによって送信される、Ｃ１５に記載の方法。
[Ｃ１７]
前記ワイヤレスドッキングセンターによって、前記ＡＳＰを用いて周辺装置機能サービスセッションを作成することをさらに備える、Ｃ１４に記載の方法。
[Ｃ１８]
前記ワイヤレスドッキーによって、前記ワイヤレスドッキングセンターから、前記ワイヤレスドッキングセンターの前記周辺装置機能サービスで前記ドッキーを認証するための秘密データを受信することをさらに備える、Ｃ１４に記載の方法。
[Ｃ１９]
ワイヤレスドッキングセンターによって、Ｗｉ−Ｆｉダイレクトサービス（ＷＦＤＳ）アプリケーションサービスプラットフォーム（ＡＳＰ）を用いて、前記ワイヤレスドッキングセンターのワイヤレスドッキングサービスに対してワイヤレスドッキーを認証するための手段を備える、装置。
[Ｃ２０]
前記ＷＦＤＳに対して前記ワイヤレスドッキーを認証することは、秘密データに基づく、Ｃ１９に記載の装置。
[Ｃ２１]
秘密データに基づいて前記ＷＦＤＳに対して前記ワイヤレスドッキーを認証することはさらに、
ＡＳＰピアツーピア（Ｐ２Ｐ）プロビジョン発見交換中に前記秘密データを送信するための手段を備える、Ｃ２０に記載の装置。
[Ｃ２２]
前記ワイヤレスドッキングセンターによって、前記ＡＳＰを用いてワイヤレスドッキングサービスセッションを確立するための手段をさらに備える、Ｃ１９に記載の装置。
[Ｃ２３]
前記ワイヤレスドッキングセンターによって、前記ワイヤレスドッキングセンターの周辺装置機能サービスで前記ワイヤレスドッキーを認証するための手段をさらに備える、Ｃ１９に記載の装置。
[Ｃ２４]
前記ワイヤレスドッキングセンターによって、前記ワイヤレスドッキーから、前記周辺装置機能サービスで前記ドッキーを認証するための秘密データを受信するための手段をさらに備え、
前記周辺装置機能サービスに対して前記ドッキーを認証するための前記手段はさらに、前記ワイヤレスドッキングセンターによって、前記周辺装置機能サービスで前記ドッキーを認証するための前記秘密データに基づいて前記ドッキーを認証するための手段を備える、Ｃ２３に記載の装置。
[Ｃ２５]
前記周辺装置機能サービスで前記ドッキーを認証するための前記秘密データは、ＡＳＰピアツーピア（Ｐ２Ｐ）プロビジョン発見交換中に受信される、Ｃ２４に記載の装置。
[Ｃ２６]
前記ワイヤレスドッキングセンターによって、前記ＡＳＰを用いて前記周辺装置機能サービスのための周辺装置機能サービスセッションを作成するための手段をさらに備える、Ｃ２３に記載の装置。
[Ｃ２７]
前記ワイヤレスドッキングセンターによって、前記ワイヤレスドッキングセンターの周辺装置機能サービスで前記ドッキーを認証するための秘密データを作成するための手段と、
前記ワイヤレスドッキングセンターによって、前記ドッキーに、前記周辺装置機能サービスで前記ドッキーを認証するための前記秘密データを送信するための手段とをさらに備える、Ｃ２３に記載の装置。
[Ｃ２８]
ワイヤレスドッキーによって、Ｗｉ−Ｆｉダイレクトサービス（ＷＦＤＳ）アプリケーションサービスプラットフォーム（ＡＳＰ）を用いて前記ワイヤレスドッキングセンターのワイヤレスドッキングサービスに対して、ワイヤレスドッキングセンターに対して認証するための手段を備える、装置。
[Ｃ２９]
前記ＷＦＤＳに対して前記ワイヤレスドッキーを認証するための前記手段は、秘密データに基づく、Ｃ２８に記載の装置。
[Ｃ３０]
前記秘密データは、ＡＳＰピアツーピア（Ｐ２Ｐ）プロビジョン発見交換中に送信される、Ｃ２９に記載の装置。
[Ｃ３１]
前記ワイヤレスドッキーによって、前記ＡＳＰを用いてワイヤレスドッキングサービスセッションを確立することをさらに備える、Ｃ２８に記載の装置。
[Ｃ３２]
前記ワイヤレスドッキーによって、前記ワイヤレスドッキングセンターの周辺装置機能サービスで認証するための手段をさらに備える、Ｃ２８に記載の装置。
[Ｃ３３]
前記ワイヤレスドッキーによって、前記ワイヤレスドッキングセンターに、前記周辺装置機能サービスで前記ドッキーを認証するための秘密データを送信するための手段をさらに備え、
前記周辺装置サービスで認証するための前記手段はさらに、前記ワイヤレスドッキーによって、前記周辺装置機能サービスで前記ドッキーを認証するための前記秘密データに基づいて、前記ワイヤレスドッキングセンターの前記周辺装置サービスに対して認証するための手段を備える、Ｃ３２に記載の装置。
[Ｃ３４]
前記周辺装置サービスで前記ドッキーを認証するための前記秘密データは、ＡＳＰピアツーピア（Ｐ２Ｐ）プロビジョン発見交換中に前記ワイヤレスドッキーによって送信される、Ｃ３３に記載の装置。
[Ｃ３５]
前記ワイヤレスドッキングセンターによって、前記ＡＳＰを用いて周辺装置機能サービスセッションを作成するための手段をさらに備える、Ｃ３２に記載の装置。
[Ｃ３６]
前記ワイヤレスドッキーによって、前記ワイヤレスドッキングセンターから、前記ワイヤレスドッキングセンターの前記周辺装置機能サービスで前記ドッキーを認証するための秘密データを受信するための手段をさらに備える、Ｃ３２に記載の装置。
[Ｃ３７]
メモリと、
Ｗｉ−Ｆｉダイレクトサービス（ＷＦＤＳ）アプリケーションサービスプラットフォーム（ＡＳＰ）を用いてワイヤレスドッキングセンターのワイヤレスドッキングサービスに対して、ワイヤレスドッキーを認証するように構成される少なくとも１つのプロセッサとを備える、装置。
[Ｃ３８]
前記ＷＦＤＳに対して前記ワイヤレスドッキーを認証することは、秘密データに基づく、Ｃ３７に記載の装置。
[Ｃ３９]
秘密データに基づいて前記ＷＦＤＳに対して前記ワイヤレスドッキーを認証するために、前記少なくとも１つのプロセッサはさらに、
ＡＳＰピアツーピア（Ｐ２Ｐ）プロビジョン発見交換中に前記秘密データを送信するように構成される、Ｃ３８に記載の装置。
[Ｃ４０]
前記少なくとも１つのプロセッサはさらに、
前記ＡＳＰを用いてワイヤレスドッキングサービスセッションを確立するように構成される、Ｃ３７に記載の装置。
[Ｃ４１]
前記少なくとも１つのプロセッサはさらに、
ワイヤレスドッキングセンターの周辺装置機能サービスで前記ワイヤレスドッキーを認証するように構成される、Ｃ３７に記載の装置。
[Ｃ４２]
前記少なくとも１つのプロセッサはさらに、
前記ワイヤレスドッキーから、前記周辺装置機能サービスで前記ドッキーを認証するための秘密データを受信するように構成され、
前記周辺装置機能サービスに対して前記ドッキーを認証するために、前記少なくとも１つのプロセッサはさらに、前記周辺装置機能サービスで前記ドッキーを認証するための前記秘密データに基づいて前記ドッキーを認証するように構成される、Ｃ４１に記載の装置。
[Ｃ４３]
前記周辺装置機能サービスで前記ドッキーを認証するための前記秘密データは、ＡＳＰピアツーピア（Ｐ２Ｐ）プロビジョン発見交換中に受信される、Ｃ４２に記載の装置。
[Ｃ４４]
前記少なくとも１つのプロセッサはさらに、
前記ＡＳＰを用いて前記周辺装置機能サービスのための周辺装置機能サービスセッションを作成するように構成される、Ｃ４１に記載の装置。
[Ｃ４５]
前記少なくとも１つのプロセッサはさらに、
前記ワイヤレスドッキングセンターの周辺装置機能サービスで前記ドッキーを認証するための秘密データを作成し、
前記ドッキーに、前記周辺装置機能サービスで前記ドッキーを認証するための前記秘密データを送信するように構成される、Ｃ４１に記載の装置。
[Ｃ４６]
メモリと、
Ｗｉ−Ｆｉダイレクトサービス（ＷＦＤＳ）アプリケーションサービスプラットフォーム（ＡＳＰ）を用いてワイヤレスドッキングセンターのワイヤレスドッキングサービスに対して認証するように構成される少なくとも１つのプロセッサとを備える、装置。
[Ｃ４７]
前記ＷＦＤＳに対して認証することは秘密データに基づく、Ｃ４６に記載の装置。
[Ｃ４８]
前記秘密データは、ＡＳＰピアツーピア（Ｐ２Ｐ）プロビジョン発見交換中に送信される、Ｃ４７に記載の装置。
[Ｃ４９]
前記少なくとも１つのプロセッサはさらに、
前記ＡＳＰを用いてワイヤレスドッキングサービスセッションを確立するように構成される、Ｃ４６に記載の装置。
[Ｃ５０]
前記少なくとも１つのプロセッサはさらに、
前記ワイヤレスドッキングセンターの周辺装置機能サービスで認証するように構成される、Ｃ４６に記載の装置。
[Ｃ５１]
前記ワイヤレスドッキングセンターに、前記周辺装置機能サービスで認証するための秘密データを送信することをさらに備え、
前記周辺装置サービスで認証するために、前記少なくとも１つのプロセッサはさらに、前記周辺装置機能サービスで認証するための前記秘密データに基づいて前記ワイヤレスドッキングセンターの前記周辺装置サービス対して認証するように構成される、Ｃ５０に記載の装置。
[Ｃ５２]
前記周辺装置サービスで認証するための前記秘密データは、ＡＳＰピアツーピア（Ｐ２Ｐ）プロビジョン発見交換中に前記ワイヤレスドッキーによって送信される、Ｃ５１に記載の装置。
[Ｃ５３]
前記少なくとも１つのプロセッサはさらに、
前記ＡＳＰを用いて周辺装置機能サービスセッションを作成するように構成される、Ｃ５０に記載の装置。
[Ｃ５４]
前記少なくとも１つのプロセッサはさらに、
前記ワイヤレスドッキングセンターから、前記ワイヤレスドッキングセンターの前記周辺装置機能サービスで認証するための秘密データを受信するように構成される、Ｃ５０に記載の装置。
【図１】
0006022716.tif 000002
【図２】
0006022716.tif 000003
【図３】
0006022716.tif 000004
【図４】
0006022716.tif 000005
【図５】
0006022716.tif 000006
【図６】
0006022716.tif 000007